(57)【要約】      （修正有）【課題】  ケーブルにかかる負荷を小さくでき、断線の発生を抑制し、例えば携帯機器のヒンジ部の穴に容易に通すことができる極細同軸ケーブルおよびそのケーブルのアセンブリーを提供する。【解決手段】  極細径の中心導体３の外周に絶縁体５を設け、この絶縁体５の外周に極細径の外部導体よりなる横巻きシールド７を施し、さらに、この横巻きシールド７の外周に外皮９を設けた極細同軸線１を並列に複数配置して構成される極細同軸ケーブル１１であって、横巻きシールドの巻き方向が交互になるよう配置されていると共に各左巻き、右巻きの横巻きシールド７Ａ、７Ｂの撚りピッチがほぼ同一である極細同軸ケーブル１１とし、この極細同軸ケーブル１１を経糸とし、緯糸にて織成してフラット状にしたり、また、極細同軸ケーブル１１を束状にして止め部材により止められていることを特徴とする。【選択図】図１
2005322462.tif 000002
【特許請求の範囲】
【請求項１】
極細径の中心導体の外周に絶縁体を設け、この絶縁体の外周に極細径の外部導体よりなる横巻きシールドを施し、さらに、この横巻きシールドの外周に外皮を設けた極細同軸線を並列に複数配置して構成される極細同軸ケーブルであって、前記横巻きシールドの巻き方向が交互になるよう配置されていると共に各左巻き、右巻きの横巻きシールドの撚りピッチがほぼ同一であることを特徴とする極細同軸ケーブル。
【請求項２】
前記極細同軸ケーブルを経糸とし、この経糸と緯糸にて織成してフラット状にしたことを特徴とする請求項１記載の極細同軸ケーブル。
【請求項３】
前記請求項１または２記載の極細同軸ケーブルを束状にして前記極細同軸ケーブルの長手方向の適数個所に止め部材により止められていることを特徴とする極細同軸ケーブルのアセンブリ。
【発明の詳細な説明】
【技術分野】
【０００１】
この発明は、昨今の携帯電話、デジタルカメラおよびノートパソコンなどにおいて、表示部に使用される液晶画面の解像度は年々向上する傾向があり、この液晶画面の配線材に特に用いられる極細同軸ケーブルおよびそのケーブルのアセンブリに関する。
【背景技術】
【０００２】
例えば携帯電話、デジタルカメラおよびノートパソコンなどの液晶画面と機器本体とを接続する配線材として、これまでＦＰＣ（フレキブルプリント回路）が主に使用されていた。例えば図６を参照するに、ノートパソコン１０１や携帯電話は、基板やマザーボート゛などを収納する機器本体１０３と液晶モニタ（ＬＣＤ）１０５とから構成されており、機器本体１０３と液晶モニタ（ＬＣＤ）１０５はヒンジ部１０７を介して折り畳み可能に設けられている。
【０００３】
従来、上記の機器本体１０３と液晶モニタ（ＬＣＤ）１０５との間で電源や信号を送るために用いられる配線材１０９は図６に示されているように、ヒンジ部１０７にその軸線方向に交叉するするように設けた細い挿通穴部１１１に通されるものであり、殆どが屈曲性のあるＦＰＣ（フレキブルプリント回路）１１３やシールドＦＰＣなどの配線材１０９が使用されていた。
【０００４】
しかし、最近では、例えば携帯電話の形態が変化し、例えば液晶画面の部分が３６０°回転したり、スライドしたりするものが登場し、これまでのＦＰＣによる配線材１１３ではこのような機械的屈曲や回転に耐えられなくなってきた。また、液晶画面の解像度が向上するにつれてＦＰＣによる配線材が受けるノイズの影響が無視できず、シールドを施すことが必要になっている。
【０００５】
そこで、液晶画面の配線材１０９としてＦＰＣの替わりに極細同軸アセンブリを使用する動きが出てきている。また、極細同軸アセンブリも携帯電話の小型化に伴い、ワイヤサイズが細線化する傾向にある。
【０００６】
従来の極細同軸ケーブルおよびそのケーブルアセンブリとしては、例えば、特許文献１、２などのものが知られている。すなわち、従来の極細同軸ケーブルとしては、極細径の中心導体の外周に絶縁体が設けられていて、この絶縁体の外周には極細径の外部導体よりなる横巻きシールドが施されている。さらに、この横巻きシールドの外周には外皮が設けられている。この極細同軸ケーブルが並列に複数配置された状態で、各極細同軸ケーブルの両面にフラット状にテープで貼り付けて極細同軸ケーブルアセンブリが構成されている。この極細同軸ケーブルアセンブリを構成している前記横巻きシールドの巻き方向が交互になるよう配置されていることが知られている。
【特許文献１】特開２００１−２２９７４２号公報
【特許文献２】特開２００２−１３３９５１号公報
【発明の開示】
【発明が解決しようとする課題】
【０００７】
ところで、上述したごとく極細同軸ケーブルアセンブリを製造するのに、極細同軸ケーブルを並列に複数配置した状態で、各極細同軸ケーブルの両面にフラット状にテープで貼り付けている。しかも、前記横巻きシールドの巻き方向が交互になるよう配置されているから、個々のケーブルのねじれ癖の影響を受けて曲がるのを抑制しているが、この極細同軸ケーブルや極細同軸ケーブルアッセンブリが携帯機器の回転するヒンジ部に使われる際には、高い機械特性が求められるが、ヒンジ部が小さくなるに連れ、曲げ半径が小さくなり、極細同軸ケーブルにかかる負荷が大きくなって、断線が発生しやすくなっている。
【０００８】
この発明は上述の課題を解決するためになされたものである。
【課題を解決するための手段】
【０００９】
この発明の極細同軸ケーブルは、極細径の中心導体の外周に絶縁体を設け、この絶縁体の外周に極細径の外部導体よりなる横巻きシールドを施し、さらに、この横巻きシールドの外周に外皮を設けた極細同軸線を並列に複数配置して構成される極細同軸ケーブルであって、前記横巻きシールドの巻き方向が交互になるよう配置されていると共に各左巻き、右巻きの横巻きシールドの撚りピッチがほぼ同一であることを特徴とするものである。
【００１０】
この発明の極細同軸ケーブルは、前記極細同軸ケーブルにおいて、前記極細同軸ケーブルを経糸とし、この経糸と緯糸にて織成してフラット状にしたことを特徴とするものである。
【００１１】
この発明の極細同軸ケーブルアセンブリは、前記請求項１または２記載の極細同軸ケーブルを束状にして前記極細同軸ケーブルの長手方向の適数個所に止め部材により止められていることを特徴とするものである。
【発明の効果】
【００１２】
以上のごとき課題を解決するための手段の説明から理解されるように、この発明によれば、全体としての極細同軸ケーブルのねじれが生じないようになり、スムーズにまっすぐになるため、機器内への配線が容易になる。しかも、極細同軸ケーブルにかかる負荷を小さくでき、断線の発生を抑制することができる。
【００１３】
極細同軸ケーブルは、極細同軸ケーブルを経糸とし、緯糸にて織成してフラット状になるため、丸められることができ、また、極細同軸ケーブルを束状にして前記極細同軸ケーブルの長手方向の適数個所に止め部材により止められているので、丸められた状態になっているから、例えば携帯機器のヒンジ部の穴に容易に通すことができる。
【発明を実施するための最良の形態】
【００１４】
以下、この発明の実施の形態について図面を参照して詳細に説明する。
【００１５】
図２を参照するに、極細同軸線１は、中心部に例えば０．０２５ｍｍ径からなる銀メッキ銅合金線を７本撚り合わせた極細径の中心導体３と、この中心導体３の外周に設けられた例えば０．２０ｍｍ径からなるフッ素系樹脂の絶縁体５と、この絶縁体５の外周に設けられた極細径例えば０．０３ｍｍ径からなる錫メッキ銅合金線を２０本撚り合わせた外部導体よりなる横巻きシールド７と、この横巻きシールド７の外周に被覆された例えばフッ素系樹脂からなる外径０．３０ｍｍの外皮（ジャケット）９とで構成されている。
【００１６】
前記極細同軸線１を図１に示されているように、並列に複数配置することで、極細同軸ケーブル１１が構成される。この極細同軸ケーブル１１を構成する前記極細同軸線１の前記横巻きシールド７は図１において、巻き方向が交互になるよう右巻きの横巻きシールド７Ａと左巻きの横巻きシールド７Ｂが交互に配置されていると共に各右巻きの横巻きシールド７Ａと左巻きの横巻きシールド７Ｂの撚りピッチがほぼ同一で巻かれているすなわち、従来の横巻きシールドは単に右巻きの横巻きシールドと左巻きの横巻きシールドが交互に巻かれているに過ぎないが、この実施の形態では、右巻きの横巻きシールド７Ａと左巻きの横巻きシールド７Ｂの撚りピッチをできるだけ小さくし、かつ、ほぼ同一にしたものである。
【００１７】
その結果、全体としての極細同軸ケーブル１１のねじれが生じないようになり、スムーズに機器内へ容易に取り付けることができる。しかも、従来のものより、極細同軸ケーブル１にかかる負荷を小さくでき、断線の発生を抑制することができる。
【００１８】
図３に示されているように、前記極細同軸ケーブル１が図３において経方向（図３において上下方向）へ延伸されていて経糸とし、しかも、緯糸方向に適宜な間隔で複数配列されている。そして、例えば熱可塑性繊維のポリエステルからなる緯糸１３で平織りにより織成すると共に別の糸１５を針１７でほつれないように右端を縫うことで、図４に示されているような極細同軸ケーブル１９が製作される。そして、この極細同軸ケーブル１９の両端を図示省略のコネクタが接続される。
【００１９】
その結果、細長い極細同軸ケーブル１９は図４において上下方向に容易に丸めることができ、１本の丸棒のごとくなって、例えば携帯機器のヒンジ部の穴が図４に示した極細同軸ケーブル１９の幅よりも小さいものにも容易に通すことができる。
【００２０】
また、図５に示されているように、前記極細同軸ケーブル１を例えば３０本を束ねて前記極細同軸ケーブル１の長手方向の適宜位置に例えば両側に適数例えば２本の止め部材としての例えばテープ２１で止めることで丸めることができる。そして、束ねられた極細同軸ケーブル１９が製作され、この極細同軸ケーブル１９の両端をコネクタ２３、２５が接続されることになる。
【００２１】
その結果、極細同軸ケーブル１を束状にして前記極細同軸ケーブル１の長手方向の適数個所に止め部材としてのテープ２１により止められているので、丸められた状態になっているから、例えば携帯機器のヒンジ部の穴に容易に通すことができる。
【００２２】
なお、この発明は前述した実施の形態に限定されることなく、適宜な変更を行うことによりその他の態様で実施し得るものである。
【図面の簡単な説明】
【００２３】
【図１】この発明の極細同軸ケーブルの一例を示す斜視図である。
【図２】極細同軸線の拡大断面図である。
【図３】この発明の極細同軸ケーブルを製造する織り方を示した説明図である。
【図４】図３の織り方で製造された極細同軸ケーブルの一例を示す平面図である。
【図５】この発明の極細同軸ケーブルアッセンブリの一例を示す平面図である。
【図６】従来のＦＰＣの使用例を示すノートパソコンの斜視図である。
【符号の説明】
【００２４】
１  極細同軸ケーブル
３  中心導体
５  絶縁体
７  横巻きシールド
７Ａ  右巻き横巻きシールド
７Ｂ  左巻き横巻きシールド
９  外皮（ジャケット）
１１  極細同軸ケーブル、経糸
１３  緯糸
１５  糸
１７  針
１９  極細同軸ケーブル
２１  テープ（止め部材）
２３、２５  コネクタ
【図１】
2005322462.tif 000003
【図２】
2005322462.tif 000004
【図３】
2005322462.tif 000005
【図４】
2005322462.tif 000006
【図５】
2005322462.tif 000007
【図６】
2005322462.tif 000008